(57)【要約】
【課題】  自在継手を備えた杖の特徴を生かし、かつ杖を斜めに傾けたときにブレを起こさない状態に安定よく保持できる機能を有する杖を提供する。
【解決手段】  杖本体（１）を斜めに傾けた際、芯軸（２）が自在継手である半球体（２ａ）と共に押し下げられ、芯軸（２）の外側にある筒体（３）の円錐形部（３ａ）の先端が、滑り止め部材（５）に固着されている案内枠体（７）の椀形覆い部分（７ａ）の円形開口（７ｃ）内で、芯軸（２）との間に残されている環状空隙（７ｂ）に嵌め込まれる。これにより杖本体（１）のブレ防止となる。
【選択図】  図２
0003101296.tif 000002
【実用新案登録請求の範囲】
【請求項１】
杖本体の下端に自在継手を介して滑り止め部材を設けて成る杖において、前記自在継手は杖本体に連結する芯軸に支持された半球体とされ、前記滑り止め部材に前記半球体の球面に外接する椀形覆い部分を有する案内枠体が固定され、前記椀形覆い部分の中心部位に前記芯軸の挿入を許容し、かつ芯軸に対して所要の環状空隙を残すようにした円形開口が形成され、前記芯軸に前記環状空隙に先端が嵌め込まれる円錐形部を有する筒体が一体に設けられ、前記案内枠体の内側で前記半球体の底面に形成した凹部と前記滑り止め部材側に設けた凹部との間の空所部分にスプリング部材が収納されていることを特徴とする杖。
【考案の詳細な説明】
【技術分野】
【０００１】  本考案は、老人、障害者等が使用するのに好適な杖あるいは松葉杖の改良に関する。
【背景技術】
【０００２】  従来、この種の杖として、杖の先端にゴム等からなる滑り止め部材を固着し、使用時に杖の先端が路面で滑るのを防止する構造の杖が多用されている。
上記滑り止め部材付き杖は路面に対し垂直に立てて使用されるときは初期の滑り止め効果が得られるが、歩行に際し路面に対して斜めに傾けて使用するとき、あるいは坂道や階段などで垂直に立てて保持することがむずかしく、斜めに傾けて使用する場合、滑り止め効果が充分に発揮されない不具合がある。【０００３】  上記不具合を解消するものとして、杖本体と滑り止め部材との間に、球型自在継手を介在させた構造のものが知られている。
上記自在継手を備えた杖によれば、杖本体を斜めに傾けて使用しても、滑り止め部材の下面は路面に対して垂直に当接し、下面全域で確実に支持できるので、滑り止め効果を有効に発揮させることが可能となる。【０００４】  しかしながら、自在継手を備えた杖は、杖本体を斜めに傾けたとき、その傾き角度姿勢に安定よく保持されず、ブレ（杖本体の振れ）を起こしやすい不安定な状態に置かれるという致命的な欠点がある。したがって、使用者は杖本体を斜めに傾けたとき、それと同時に杖本体をブレないように保持しなければならず、そのぶん杖の取り扱いが面倒なものとなる。
【特許文献１】特開平１１−２７６２２２号
【考案の開示】
【考案が解決しようとする課題】
【０００５】  本考案が解決しようとする課題は、自在継手を備えた杖の特徴を生かし、かつ、杖本体を斜めに傾けたときにブレを起こさない状態に安定よく保持できる機能を有する改良された杖を提供することにある。
【課題を解決するための手段】
【０００６】  上記課題を解決するために、本考案は杖本体の下端に自在継手を介して滑り止め部材を設けて成る杖において、前記自在継手は杖本体に連結する芯軸に支持された半球体とされ、前記滑り止め部材に前記半球体の球面に外接する椀形覆い部分を有する案内枠体が固定され、前記椀形覆い部分の中心部位に前記芯軸の挿入を許容し、かつ芯軸に対して所要の環状空隙を残すようにした円形開口が形成され、前記芯軸に前記環状空隙に先端が嵌め込まれる円錐形部を有する筒体が一体に設けられ、前記案内枠体の内側で前記半球体の底面側に形成した凹部と前記滑り止め部材側に設けた凹部との間の空所部分にスプリング部材が収納されていることを要旨としている。
【考案の効果】
【０００７】  本考案によれば、枠本体と滑り止め部材との間に球型自在継手を介在させて成る従来の杖と同様に、杖本体を斜めに傾けて使用しても、滑り止め部材の下面を路面に対して垂直に当接させ、下面全域で確実に支持することができるので、滑り止め効果を有効に発揮させることができる。
加えて本考案によれば、杖本体を斜めに傾けて使用する際に働く押圧力により、杖本体側の芯軸が半球体を介してスプリング部材を圧縮する方向に進行するとき、前記芯軸と一体なる筒体の円錐形部の先端が前記案内枠体の椀形覆い部分と支軸との間の環状空隙に嵌め込まれるので、この嵌め込み作用により杖本体のブレを抑え、安定状態に保持することが可能となる。
【考案を実施するための最良の形態】
【０００８】  杖本体側に連結した支軸の先端に半球体を設けると共に支軸の外側に先端を円錐形部とした筒体を一体に設ける。
一方、前記滑り止め部材に前記半球体の球面に外接する椀形覆い部分を有する案内枠体を固着する。この案内枠体の椀形覆い部分には前記芯軸の挿入を許容すると共に芯軸に対して所要の環状空隙を残すようにした円形開口を形成する。
前記案内枠体の内側には半球体の底面に形成した凹部と前記滑り止め部材側に設けた凹部との間の空所部分にスプリング部材を収納する。
【実施例】
【０００９】  図１〜図６に本考案の一実施例を示す。
（１）はパイプ型の杖本体、（２）は杖本体の先端に連結する芯軸、（２ａ）は芯軸（２）の先端に一体に形成された半球体である。（３）は芯軸（２）の外側に設けた筒体であり、その先端は円錐形部（３ａ）とされている。（４）は前記芯軸（２）と筒体（３）を杖本体（１）に固着するリベット等の止め具である。（Ｈ）は杖本体の取手である。【００１０】  前記杖本体（１）の先端側に設けられる滑り止め部材（５）はゴム製円盤とし、金属製帽体（６）で把持されている。この帽体（６）の上面に、金属製案内枠体（７）が設けられ、ネジ等の止め具（８）により前記帽体（６）と共に滑り止め部材（５）側に固着されている。【００１１】  前記金属製案内枠体（７）の中央部位には、プレス成形により突出させた椀形覆い部分（７ａ）が設けられている。この椀形覆い部分（７ａ）の上面には前記芯軸（２）の挿入を許容し、かつ芯軸（２）に対して所要の環状空隙（７ｂ）を残す円形開口（７ｃ）が形成されている。前記案内枠体（７）の椀形覆い部分（７ａ）は芯軸（２）の先端にある半球体（２ａ）の球面と外接し、自在継手となる半球体（２ａ）の転動を案内するものである。【００１２】  前記芯軸（２）の先端にある半球体（２ａ）の下面に形成した凹部（２ｂ）と滑り止め部材（５）の上面に形成した凹部（５ａ）との間の空所部分にスプリング部材（９）が収納されている。このスプリング部材（９）は前記芯軸（２）が杖本体（１）と共に押し下げられたとき圧縮されるが、解放されると弾性反発力で前記芯軸（２）を押し上げるように働くもので、その際半球体（２ａ）は椀形覆い部分（７ａ）に内接した状態で上下方向に変位する。【００１３】  上記に述べた杖の構成によれば、半球体（２ａ）が自在継手として作用するので、杖本体を斜めに傾けて使用しても、滑り止め部材の下面を路面に対して垂直に当接させ、下面全域で確実に支持し、滑り止め効果を有効に発揮させることができる。【００１４】  また上記構成によれば、杖本体を斜めに傾けて使用する際に働く押圧力により、杖本体側の芯軸（２）が半球体（２ａ）を介してスプリング部材（９）を圧縮方向に向けて進行するとき、前記芯軸（２）と一体なる筒体（３）の円錐形部（３ａ）の先端が前記案内枠体（７）の椀形覆い部分（７ａ）と芯軸（２）との間の環状空隙（７ｂ）に嵌め込まれ、この嵌め込み作用により杖本体のブレを抑えるので、杖本体を安定状態に保持することが可能となる。【００１５】  また、前記スプリング部材（９）は半球体（２ａ）の下面側の凹部（２ｂ）と滑り止め部材（５）の上面側凹部（５ａ）との間の空所部分に収容されているので、横振れが制御される。これにより自在継手を有する杖の操作上の動作をより確実なものとする。
【産業上の利用可能性】
【００１６】  本考案による杖は、老人，障害者に限らず、安全歩行を図る松葉杖にも適用することができる。
【図面の簡単な説明】
【００１７】
【図１】  本考案の一実施例を示す杖の全体側面図である。
【図２】  杖本体の要部拡大断面図である。
【図３】  杖本体の作動状態での要部拡大断面図である。
【図４】  半球体付き芯軸の側面図である。
【図５】  案内枠体の平面図である。
【図６】  案内枠体の平面図である。
【符号の説明】
【００１８】１    杖本体            ２    芯軸
２ａ  半球体            ２ｂ  凹部
３    筒体              ３ａ  円錐形部
４    止め具            Ｈ    杖本体の取手
５    滑り止め部材      ５ａ  凹部
６    金属製帽体        ７    金属製案内枠体
７ａ  椀形覆い部分      ７ｂ  環状空隙
７ｃ  円形開口          ８    止め具
９    スプリング部材
【図１】
0003101296.tif 000003
【図２】
0003101296.tif 000004
【図３】
0003101296.tif 000005
【図４】
0003101296.tif 000006
【図５】
0003101296.tif 000007
【図６】
0003101296.tif 000008